(57)【要約】【課題】  発信元の移動機が、発信先の状態を発信前に推定して、発信の可否を容易かつ適確に判断可能とすることである。【解決手段】  移動機１０は、発呼先である移動機１０の状態を表すセンサ値を加入者サーバ２０宛に一定間隔で送信する。加入者サーバ２０には、移動機１０から送信されたセンサ値が保持されていき、該センサ値と閾値との比較が行われる。比較結果は、発呼元である移動機３０宛に送信され、移動機３０では、当該比較結果を基に、移動機１０への発呼の可否を判定する。移動機３０は、発呼可能と判定された場合にのみ、移動機１０への発呼を行う。【選択図】  図１
2006157672.tif 000002
【特許請求の範囲】
【請求項１】
発信先の移動機にて検知されたセンサ値と閾値との比較結果を取得する取得手段と、
前記取得手段により取得された比較結果に基づいて、前記発信先の移動機に対する発信の可否を判定する判定手段と、
前記判定手段により発信可能と判定された場合に、前記発信先の移動機宛の発信を行う発信手段と
を備えることを特徴とする移動機。
【請求項２】
前記取得手段により取得された比較結果に基づいて、前記発信先に関する提示情報を決定する決定手段と、
前記決定手段により決定された提示情報を提示する提示手段と
を更に備えることを特徴とする請求項１に記載の移動機。
【請求項３】
請求項１に記載の移動機と通信可能なサーバ装置であって、
前記発信先の移動機にて検知されたセンサ値と閾値とを比較する比較手段と、
前記比較手段による比較結果を、前記センサ値のセンサ種別とともに、発信元の移動機宛に送信する送信手段と
を備えることを特徴とするサーバ装置。
【請求項４】
移動機と通信可能なサーバ装置が、
発信先の移動機にて検知されたセンサ値と閾値とを比較する比較ステップと、
前記比較ステップにおける比較結果を、前記センサ値のセンサ種別とともに、発信元の移動機宛に送信する送信ステップと、
前記発信元の移動機が、
前記送信ステップにて送信された比較結果を、前記センサ種別とともに受信する受信ステップと、
前記受信ステップにて受信された比較結果と前記センサ種別とに基づいて、前記発信先の移動機に対する発信の可否を判定する判定ステップと、
前記判定ステップにて発信可能と判定された場合に、前記発信先の移動機宛の発信を行う発信ステップと
を含むことを特徴とする発信制御方法。
【発明の詳細な説明】
【技術分野】
【０００１】
本発明は、携帯電話などの移動機からの他の移動機に対する発信を制御する技術に関する。
【背景技術】
【０００２】
従来、発信先の電話機において、着信を拒否する、あるいは、着信時の呼出しを防止する技術が提案されている。例えば、特許文献１には、以下に説明する選択着信制御方式が開示されている。親機電話装置は、子機電話装置の測定した照度値を受信し、該照度値が閾値を下回っている場合には、上記子機電話装置宛の着信があっても、着信時の呼出し先として当該子機電話装置を選択しない。これにより、子機電話装置のユーザの就寝中における呼出しを防止する。
【特許文献１】特開平６−１５２７３７号公報
【発明の開示】
【発明が解決しようとする課題】
【０００３】
しかしながら、上記の従来技術は、発信先の電話機側の事前設定あるいは着信時の状態に基づく一方的な制御である。このため、発信先の電話機が着信（若しくは呼出し）を拒否している場合には、発信元の電話機は、発信の必要性や緊急性の如何によらず、発信先の電話機と通信を行うことはできない。また、例え通信ができなくても発信先の電話機の状態を発信元が把握することは利便性を向上するが、発信先の電話機のユーザは、発信元の電話機がどのような状態にあるのか、なぜ着信を拒否しているのか、といった情報を得ることもできない。
【０００４】
そこで、本発明の課題は、発信元の移動機が、発信先の状態を発信前に推定して、発信の可否を容易かつ適確に判断可能とすることである。
【課題を解決するための手段】
【０００５】
本発明に係る移動機は、発信先の移動機にて検知されたセンサ値と閾値との比較結果（センサ情報の一部）を取得する取得手段と、前記取得手段により取得された比較結果に基づいて、前記発信先の移動機に対する発信の可否を判定する判定手段と、前記判定手段により発信可能と判定された場合に、前記発信先の移動機宛の発信を行う発信手段とを備える。
【０００６】
ここで、発信の可否判定に使用される比較結果は、自移動機が自ら実行した比較処理の結果であってもよいし、自移動機以外の装置（例えば外部端末装置）から自移動機宛に送信された比較結果であってもよい。
【０００７】
本発明によれば、移動機からの発信先となる移動機が検知したセンサ値の高低に応じて、該移動機に対する発信の可否が決定される。すなわち、本発明に係る移動機は、発信先の移動機周辺の照度値が高い場合などには、ユーザが明るい場所に位置していることから睡眠中ではないものと推測されるため、該移動機への発信を許可する。これに対して、発信先移動機の振動値が高い場合などには、移動中であるものと推測されるため、該移動機への発信を拒否する。このようにして、ユーザによる操作や判断を要することなく、移動機周辺の状況や移動機の状態が反映された発信制御が実現される。その結果、発信元の移動機が、発信先の状態を発信前に推定して、発信の可否を容易かつ適確に判断することが可能となる。
【０００８】
本発明に係る移動機において好ましくは、前記取得手段により取得された比較結果に基づいて、前記発信先に関する提示情報を決定する決定手段と、前記決定手段により決定された提示情報を提示する提示手段とを更に備える。
【０００９】
本発明によれば、移動機からの発信先となる移動機が検知したセンサ値の高低に応じて、自移動機のユーザに提示される情報の内容が可変的に決定される。決定された提示情報は、ユーザに提示される。例えば、センサ値としての圧力値が閾値よりも高い場合には、発信先の移動機は握られているものと推測できるので、“握っている”との情報が自移動機側に提示される。また、センサ値としての音量値が閾値よりも低い場合には、発信先の移動機周辺が静かであることから、該移動機のユーザは睡眠中であるものと推測されるため、“睡眠中”なる情報が自移動機側に提示される。これにより、発信者は、発信先の状態を発信前の段階で簡易迅速に把握することができる。
【００１０】
発信先の状態を通知するための提示情報としては、テキストデータを例示したが、これに限らず、画像データであってもよい。また、これら表示データに限らず、音データや振動パターンなどであってもよい。更には、発光色や発光パターンによって、発信先の状態を通知するものとしてもよい。
【００１１】
本発明に係るサーバ装置は、上述した移動機と通信可能なサーバ装置であって、前記発信先の移動機にて検知されたセンサ値と閾値とを比較する比較手段と、前記比較手段による比較結果を、前記センサ値のセンサ種別（センサ情報の一部）とともに、発信元の移動機宛に送信する送信手段とを備える。
【００１２】
本発明では、移動機が、サーバ装置等と比較して一般的に処理能力の低いことに鑑みて、移動機の処理量を低減すべく、センサ値と閾値との比較処理をサーバ装置が行うものとする。本発明によれば、まず、発信先の移動機の取得したセンサ値が、サーバ装置において、センサ種別に合った閾値と比較される。そして、その比較結果が、センサ種別と併せて発信元の移動機宛に送信される。これにより、発信元の移動機は、受信されたセンサ種別と比較結果とに応じた、発信または非発信の動作をとることができる。また、発信先の移動機から複数種類のセンサ値が送信される場合であっても、発信元の移動機は、センサ種別を基にそれらを識別することができる。したがって、発信先の状態をより精度良く推定した上で、それを発信の可否判定に適確に反映させることが可能となる。
【００１３】
本発明に係る発信制御方法は、移動機と通信可能なサーバ装置が、発信先の移動機にて検知されたセンサ値と閾値とを比較する比較ステップと、前記比較ステップにおける比較結果を、前記センサ値のセンサ種別とともに、発信元の移動機宛に送信する送信ステップと、前記発信元の移動機が、前記送信ステップにて送信された比較結果を、前記センサ種別とともに受信する受信ステップと、前記受信ステップにて受信された比較結果と前記センサ種別とに基づいて、前記発信先の移動機に対する発信の可否を判定する判定ステップと、前記判定ステップにて発信可能と判定された場合に、前記発信先の移動機宛の発信を行う発信ステップとを含む。
【００１４】
本発明によれば、サーバ装置において得られた、センサ値と閾値との比較結果及びセンサ種別が、発信元の移動機により受信される。その後、発信元の移動機において、当該比較結果とセンサ種別とに基づく発信の可否判定が行われる。そして、発信可能と判定された場合にのみ、発信先の移動機宛の発信処理が実行される。センサ値は、発信先の状態を示す情報である。したがって、発信処理が実行されるか否かの決定が、推定された発信先の状態に基づいて行われる。これにより、発信先が着信に適さない状態にある場合には発信を回避し、発信先が着信してもよい状態にある場合には発信を実行する、といった制御が発信元において可能となる。
【発明の効果】
【００１５】
本発明によれば、発信元の移動機が、発信先の状態を発信前に推定できるので、発信の可否を容易かつ適確に判断することが可能となる。
【発明を実施するための最良の形態】
【００１６】
以下、例示の為に添付された図面を参照しながら、本発明の一実施形態について説明する。まず、本実施の形態における発呼制御システム１の構成について説明する。図１に示すように、発呼制御システム１は、発呼先となる移動機１０（発信先の移動機に対応）と、加入者サーバ２０と、発呼元である移動機３０（移動機に対応）とを備える。移動機１０と移動機３０とは、基地局Ｂ１,Ｂ２及び移動体通信網Ｎを経由して、データ通信及び音声通話が可能である。また、加入者サーバ２０は、移動体通信網Ｎと基地局Ｂ１を介して移動機１０と、移動体通信網Ｎと基地局Ｂ２を介して移動機３０と、双方向に通信が可能なように接続されている。
【００１７】
以下、発呼制御システム１の各構成要素について具体的に説明する。
移動機１０は、センサ１１とセンサ値送信部１２とを備える。これら各部はバスを介して接続されている。センサ１１は、周知慣用の技術により、照度、振動、圧力、音響、温度、発汗といった計測の対象となる物理量を検知し、検知結果を数値化した上でセンサ値送信部１２に出力する。センサ値送信部１２は、センサ１１から入力された数値をセンサ値として、センサ種別と共に、加入者サーバ２０宛に送信する。
【００１８】
センシングは一定間隔（例えば、５〜１０秒毎）で行われ、センサ値は、逐次、加入者サーバ２０宛に送信される。センシングの間隔は、待受け時には１０〜３０分毎、通話時には１秒毎というように、移動機１０の状態によって変更することもできる。センサ値は、例えば、“照度１５ルクス、圧力２ｋｇ／ｃｍ２”のようなデータ構成を採る。
【００１９】
加入者サーバ２０は、機能的な構成要素として、閾値格納部２１と送受信部２２（送信手段に対応）とセンサ値比較部２３（比較手段に対応）とを備える。これら各部はバスを介して接続されている。
【００２０】
閾値格納部２１は、閾値テーブル２１１と差分閾値テーブル２１２とを有する。閾値テーブル２１１には、提示すべきコメントあるいは発呼の可否を決定するための指標となる閾値がセンサ種別毎に格納されている。閾値テーブル２１１におけるデータ格納例を図２（ａ）に示す。例えば、“照度”のセンサ種別には“３０ルクス”が閾値として設定されており、閾値の使い方として“現在のセンサ値との差分が正なら１”を返すという情報が格納されている。以下、“振動、圧力、音、温度”のセンサ種別に関しても同様に、閾値とその使い方が予め設定されている。
【００２１】
差分閾値テーブル２１２には、現在のセンサ値（以下、「現在値」と記す。）と前回のセンサ値（以下、「前回値」と記す。）との差分に関する閾値がセンサ種別毎に格納されている。差分閾値テーブル２１２におけるデータ格納例を図２（ｂ）に示す。例えば、“圧力”のセンサ種別には“０．８ｋｇ／ｃｍ２”が閾値として設定されており、閾値の使い方として“前回のセンサ値との差分が正なら０”を返すという情報が格納されている。また、“音”のセンサ種別には“２０ｄＢ”が閾値として設定されており、その使い方として“現在のセンサ値と前回のセンサ値との差分が閾値以上なら１”を返すという情報が格納されている。更に、“温度”のセンサ種別には“０．２℃”が閾値として設定されており、その使い方として“現在のセンサ値と前回のセンサ値との差分が閾値以上なら０”なる情報が格納されている。
【００２２】
送受信部２２は、移動機１０から基地局Ｂ１及び移動体通信網Ｎ経由で送信されるセンサ値を受信すると、このセンサ値を後段のセンサ値比較部２３に出力する。また、送受信部２２は、移動機３０から発呼の指示を受けると、発呼の可否を決定するための情報をセンサ情報として移動機３０宛に返信する。詳細に関しては動作説明において後述するが、センサ情報は、例えば、センサ種別、及び閾値若しくは差分閾値との比較結果から構成される。
【００２３】
センサ値比較部２３は、送受信部２２により受信されるセンサ値と、閾値格納部２１に格納されている閾値とを比較し、比較結果を保持する。センサ値は、一定間隔で移動機１０から送信されてくるので、比較結果は、センサ値が受信される度に順次更新されていく。更新された比較結果は、移動機３０からの発呼指示を契機として、センサ種別と併せて移動機３０宛に送信される。
【００２４】
移動機３０は、機能的な構成要素として、送受信部３１（取得手段、発信手段に対応）とコメント格納部３２とコメント決定部３３（決定手段に対応）とコメント表示部３４（提示手段に対応）と発呼可否判定テーブル３５と発呼可否判定部３６（判定手段に対応）とを備える。これら各部はバスを介して接続されている。移動機３０は、例えば、携帯電話やＰＨＳ（Personal Handyphone System）であるが、通信機能を有する携帯型端末であればよい。
【００２５】
送受信部３１は、移動機３０のユーザによる指示操作に従って、加入者サーバ２０宛に発呼指示信号を送信する。送受信部３１は、発呼指示を契機として加入者サーバ２０から送信されたセンサ情報を受信すると、コメント決定部３３と発呼可否判定部３６とにこれを出力する。また、通常発呼が可能であると判定された場合には、加入者サーバ２０経由で移動機１０宛に発呼信号を送信する。
【００２６】
コメント格納部３２には、図３（ａ）及び図３（ｂ）に示すように、閾値若しくは差分閾値との比較結果に応じたコメント（提示情報に対応）が、センサ種別毎に予め登録されている。説明の便宜上、閾値との比較結果と差分閾値との比較結果とは、それぞれ個別に図示するが、これらの比較結果は共に、一のメモリにより構成されるコメント格納部３２に格納されている。表示されるコメントには、１〜８までの優先順位が設定されている。
【００２７】
例えば、センサ種別が“照度”であり、閾値との比較結果が“０”である場合には、照度が低い、すなわち発呼先の移動機の周辺は暗いものと推測できるので、対応する領域には“睡眠中”なるコメントが格納されている。同様に、センサ種別が“音”であり、閾値との比較結果が“０”である場合には、発呼先の移動機の周辺は静かであると推測できるので、対応する領域には“睡眠中”なるコメントが格納されている。更に、センサ種別が“圧力”であり、現在値と前回値との差分が差分閾値以上である場合には、発呼先の移動機に対する加重圧力の変化が大きいものと推測できるので、対応する領域には“強く握り込んだ（話者が不機嫌？）”なるコメントが格納されている。なお、格納されるコメントの内容は、適宜変更可能である。
【００２８】
コメント決定部３３は、送受信部３１の受信したセンサ情報に基づき、表示するコメントを決定する。コメントの決定に際しては、コメント格納部３２が参照される。コメント決定部３３は、受信されたセンサ情報とセンサ種別及び比較結果との各データを優先順位の昇順に照合し、双方のデータが一致した時点で、対応するコメントを表示コメントに決定する。例えば、受信されたセンサ情報が、センサ種別“音”と閾値との比較結果“０”とから構成される場合を想定する。この場合、１位の優先順位に、センサ種別“音”が設定されているが、比較結果としては、差分閾値との比較結果“１”が設定されているため、センサ情報とは一致しない。このため、“バックから出した”はコメントとして選択されず、４位の優先順位に対応するコメントである“睡眠中”が選択されることになる。
【００２９】
コメント表示部３４は、コメント決定部３３により決定されたコメントを表示する。これにより、移動機３０のユーザに対して、発呼先の状態を通知する。
【００３０】
発呼可否判定テーブル３５には、閾値または差分閾値との比較結果に応じて移動機３０のとるべき動作が予め登録されている。動作は、優先順位毎に登録されており、優先順位及び比較結果の決定に伴って、とるべき動作、ひいては発呼の可否が決定されるようになっている。発呼可否判定テーブル３５内部におけるデータ格納例を図４に示す。発呼可能に相当する動作としては、“通常発呼”処理が登録され、発呼不能に相当する動作としては、“発呼終了”処理と“留守番電話”への接続処理とが登録されている。
【００３１】
発呼可否判定部３６は、送受信部３１により受信されたセンサ情報を用いて、発呼可否判定テーブル３５を参照した発呼可否の判定を行う。すなわち、発呼可否判定部３６は、表示されたコメントの優先順位の情報をコメント決定部３３から取得し、該優先順位とセンサ情報に含まれる比較結果とを基に、動作を特定する。例えば、優先順位「５」に該当する“移動中”が表示された場合には、閾値との比較結果は“０”であることから、これに対応する“留守番電話”への接続が動作として選択される。更に、優先順位「８」に該当する“怒っている（話者が不機嫌？）”が表示された場合には、差分閾値との比較結果が“０”であることから、これに対応する“発呼終了”が動作として選択される。
【００３２】
次に、図５を参照しながら、本実施の形態における発呼制御システム１の動作、併せて、本発明に係る発信制御方法を構成する各ステップについて説明する。
まずＳ１では、移動機１０において、センサ１１により、発呼先の状態として照度と圧力が感知される。
移動機１０で得られたセンサ値は、基地局Ｂ１及び移動体通信網Ｎ経由で、加入者サーバ２０を宛先として一定時間間隔で送信される（Ｓ２）。
【００３３】
加入者サーバ２０は、センサ値を受信すると、閾値格納部２１を参照してセンサ値と閾値とを比較し、比較により得られた数値（０または１）を、センサ種別と組み合わせて保持する（Ｓ３）。このとき、上記数値は比較結果として保持されるが、この値は、現在値と閾値との比較結果であってもよいし、現在値と前回値との差分と差分閾値との比較結果であってもよい。
【００３４】
ここで、Ｓ３にて保持されるセンサ情報の一例を図６に示す。図６は、移動機１０に関するセンサ情報Ｄ１のデータ構成を説明するための図である。図６に示すように、センサ情報Ｄ１には、所定の規則（図２（ａ）、図２（ｂ）参照。）に従って取得された比較結果が含まれている。センサ種別は、その種別のセンサ値から得られた比較結果に対応付けて記録されている。再び図６を参照し、“照度”のセンサ種別に関して、現在値が１５ルクスであり、前回値が１２ルクスである場合を想定する。閾値である３０ルクスとの差分は、１５−３０＝−１５より負の値であることから、現在値との差分が負である場合に該当する。したがって、“現在のセンサ値との差分が正なら１”という規則に従うと、閾値との比較結果としては“０”が記録される。なお、照度に関しては、差分閾値テーブル２１２に差分閾値が設定されていないため、“差分閾値との比較結果”の領域はブランクとなる。
【００３５】
圧力に関しても同様に比較結果が記録される。すなわち、現在値は２ｋｇ／ｃｍ２であることから、閾値０．３ｋｇ／ｃｍ２との差分は正（２−０．３＝＋１．７）である。したがって、“現在のセンサ値との差分が正なら１”なる規則に従い、閾値との比較結果として“１”が記録される。また、現在と前回とでセンサ値の差分は１ｋｇ／ｃｍ２であることから、“前回のセンサ値との差分が正なら０”なる規則に従い、差分閾値との比較結果としては“０”が記録される。このように、加入者サーバ２０は、発呼先における現在値は勿論のこと、センサ値の経時的変化をもセンサ情報に反映させることで、発呼先の状態をより適確に推定可能とする。
【００３６】
加入者サーバ２０は、センサ情報の保持後、発呼指示信号を待機している。加入者サーバ２０は、発呼指示信号の受信を検知すると（Ｓ４）、その送信元と発呼先を特定し、発呼先のセンサ情報を送信元に返信する（Ｓ５）。このセンサ情報には、送信元（本実施の形態では移動機３０）に関する、上述のセンサ種別、及び閾値（または差分閾値）との比較結果が少なくとも含まれている。センサ情報は、基地局Ｂ２と移動体通信網Ｎとを経由して、移動機３０に到達する。
【００３７】
Ｓ６では、センサ情報を受信した移動機３０は、コメント決定部３３により、コメント格納部３２を参照し、表示すべきコメントを決定する。その過程としてまず、移動機３０は、図６に図示したセンサ情報Ｄ１を受信すると、センサ情報Ｄ１の含むセンサ種別と比較結果との組合せがコメント格納部３２に存在するかの検索を行う。本実施の形態では、センサ種別“照度”と閾値との比較結果“０”との組合せは、図３（ａ）に示したコメント格納部３２の優先順位「２」のデータ列に存在する。また、センサ種別“圧力”と閾値との比較結果“１”との組合せは、同じく優先順位「６」のデータ列に存在する。更に、センサ種別“圧力”と差分閾値との比較結果“０”との組合せは、図３（ｂ）に示したコメント格納部３２の優先順位「３」のデータ列に存在する。
【００３８】
検索後、コメント決定部３３は、上記センサ種別と比較結果との組合せに合致するデータ列のうち、より優先順位が高く設定されているデータ列のコメントを、表示するコメントに決定する。上述のように、センサ情報Ｄ１に関しては、優先順位「２」が最高位であるため、これに対応するコメント“睡眠中”が表示コメントに選択され、表示部３４に表示されることになる。
【００３９】
ここで、コメントの選択に際して使用されるセンサ種別は、優先順位の最も高いものとしたが、これに限らず、複数のセンサ種別を組み合わせて使用するものとしてもよい。このような態様の一例として、以下、１．照度、２．音、３．振動、４．圧力、５．温度（体温、室温、気温）、６．紫外線、７．人感（人影、物影）、８．汗、９．開閉動作、１０．湿度、１１．位置、の計１１種のセンサ種別が、加入者サーバ２０に登録されている場合を想定する。
【００４０】
例えば、上記１〜４と１１の種別に対応するセンサ値が閾値の条件を満たした場合には、「睡眠中」であるとのコメントが選択され、１，５，６の種別に対応するセンサ値が閾値の条件を満たした場合には、「屋内にいる」または「外出中」とのコメントが選択される。更に、４，８の種別に対応するセンサ値が閾値の条件を満たした場合には、「緊張状態」とのコメントが選択され、３，９，１１の種別に対応するセンサ値が閾値の条件を満たした場合には、「放置状態（使用していない状態）」とのコメントが選択される。
【００４１】
かかる態様は、移動機による通話中にも適用可能である。例えば、通話中に、４，８の種別に対応するセンサ値が閾値の条件を満たした場合には、加入者サーバ２０は、移動機１０の緊張状態を感知し、発信元である移動機３０を振動させる。これにより、発信先の緊張状態を発信者に伝える。あるいは、通話中に、５，６の種別に対応するセンサ値が閾値の条件を満たした場合には、加入者サーバ２０は、移動機１０周辺における温度や紫外線量の変化を感知し、移動機３０を介して、その旨を色で知らせる。このように、複数の感知結果を利用することで、発信先における複合的な状況把握が実現され、その結果、より適確なコメントの選択が可能となる。
【００４２】
Ｓ７では、移動機３０は、発呼可否判定部３６により、発呼可否判定テーブル部３５を参照し、移動機３０の動作を決定する。例えば、センサ情報Ｄ１がＳ５で受信された場合には、優先順位が「２」であり、閾値との比較結果が“０”であるコメントが選択されるので、これらの情報（「２」と“０”）に対応する動作が選択される。再び図４を参照すると、優先順位「２」、比較結果“０”に該当する動作は“留守番電話”である。したがって、移動機３０の動作としては“留守番電話”が選択される。
【００４３】
Ｓ８では、Ｓ７で選択された動作に応じて通常発呼の可否が判定される。すなわち、動作内容として通常発呼が選択された場合には、通常発呼が可能であると判定され（Ｓ８；ＹＥＳ）、移動機３０は、移動機１０宛の発呼信号を送信する（Ｓ９）。一方、動作内容として通常発呼以外（発呼終了または留守番電話）が選択された場合には、通常発呼が不能であると判定される（Ｓ８；ＮＯ）。そして、移動機３０は、発呼処理を終了する、あるいは、留守番電話用の装置に接続するといった、選択された動作内容に応じた動作をとる（Ｓ１０）。
【００４４】
以上説明したように、発呼制御システム１によれば、発呼先の状態を表す移動機１０のセンサ値が加入者サーバ２０に定期的に送信され蓄積される。加入者サーバ２０は、移動機３０から発呼指示を受けると、該センサ値と閾値との比較結果をセンサ種別と共に移動機３０宛に送信する。移動機３０は、これらの情報（センサ情報）を、自機に設定されている判断基準に当てはめ、提示コメントの決定と発呼の制御を行う。したがって、発呼元の移動機（移動機３０）では、発呼先の状態を発呼前に容易に把握できるとともに、その状態に応じて、発呼を行うか否かの判定を適確に行うことができる。その結果、発呼の相手が睡眠中や病気中と予想される時など、発呼することが相応しくない場合あるいは発呼しても応答できない場合にまで発呼されることが無くなり、発呼元、発呼先双方の利便性が向上する。
また、本システムによれば、発呼の可否判定処理が移動機３０で行われる。このため、加入者サーバ２０にて、可否判定用の設定ファイルを管理する必要が無く、ネットワーク側の負荷が軽減されるという効果もある。
【００４５】
なお、本発明は、上述した実施の形態に限定されるものではなく、その趣旨を逸脱しない範囲において、適宜変形態様を採ることもできる。
例えば、上記実施の形態においては、閾値と差分閾値を加入者サーバ２０が保持し、これらの閾値との比較結果をセンサ種別と併せて移動機３０宛に送信する（換言すれば、センサ値自体を送信しない）態様を採った。かかる態様によれば、センサ値や前回のセンサ値との差分値は勿論のこと、閾値若しくは差分閾値との比較結果を、加入者サーバ２０上に蓄積することができる。したがって、コンテンツサービスプロバイダ等の第三者が加入者サーバ２０にアクセスすることで、これらの情報を利用することが可能になる。
【００４６】
しかし、かかる態様に限らず、加入者サーバ２０側では閾値との比較は行わずに、センサ値自体及び前回のセンサ値との差分値を、移動機３０宛に送信するものとしてもよい。そして、移動機３０側で、自機の保持する閾値を基に現在のセンサ値との比較を行うとともに、自機の保持する差分閾値を基に前回のセンサ値との差分との比較を行うものとしてもよい。かかる態様によれば、移動機３０にて保持すべきデータ容量が増大する反面、加入者サーバ２０における処理負荷が低減されるという効果が期待できる。
【００４７】
また、上記実施の形態では、通話を想定し、移動機１０に対する発呼を契機とした状態通知機能について説明したが、本発明が、通話に限らずデータ通信にも適用可能であることは勿論である。かかる態様では、図５のＳ９において、発呼信号に代わりセンサ情報要求信号が、移動機３０から移動機１０宛に送信される。そして、移動機３０は、加入者サーバ２０経由でセンサ情報を受信し、該センサ情報に応じた機能制御を行う。
【図面の簡単な説明】
【００４８】
【図１】本発明の一実施の形態における発呼制御システムの機能的構成を示すブロック図である。
【図２】図２（ａ）は、センサ種別毎の閾値が格納されている閾値テーブルである。図２（ｂ）は、センサ種別毎の差分閾値が格納されている差分閾値テーブルである。
【図３】図３（ａ）は、コメント格納部内に、閾値との比較結果に対応して格納されるコメントの例を示す図である。図３（ｂ）は、差分閾値との比較結果に対応して格納されるコメントの例を示す図である。
【図４】発呼可否判定テーブル内部のデータ格納例を示す図である。
【図５】発呼制御システムの動作を説明するためのフローチャートである。
【図６】加入者サーバと発信元移動機との間で送受信されるセンサ情報の一例を示す図である。
【符号の説明】
【００４９】
１…発呼制御システム、１０…移動機、１１…センサ、１２…センサ値送信部、２０…加入者サーバ、２１…閾値格納部、２２…送受信部、２３…センサ値比較部、３０…移動機、３１…送受信部、３２…コメント格納部、３３…コメント決定部、３４…コメント表示部、３５…発呼可否判定テーブル、３６…発呼可否判定部、Ｂ１，Ｂ２…基地局、Ｎ…移動体通信網
【図１】
2006157672.tif 000003
【図２】
2006157672.tif 000004
【図３】
2006157672.tif 000005
【図４】
2006157672.tif 000006
【図５】
2006157672.tif 000007
【図６】
2006157672.tif 000008